(57)【要約】【課題】  映像信号に高周波ノイズが含まれる場合でも、同期信号を迅速に検出すること。【解決手段】  映像信号処理装置は、入力される映像信号の同期信号を検出する検出手段と、検出手段が同期信号の検出に失敗した場合に、同期信号の検出に成功するまでの間、同期信号の検出に失敗したことを示すエラー信号を出力するエラー信号出力手段と、映像信号から高周波成分を除去して、検出手段に供給するフィルタ手段と、エラー信号出力手段からエラー信号が出力されている場合に、フィルタ手段のローパスフィルタとしての機能をオン状態に切換え、エラー信号出力手段からエラー信号が出力されていない場合に、フィルタ手段のローパスフィルタとしての機能をオフ状態に切換える切換手段とを備える。【選択図】図１
2012023509.tif 000002
【特許請求の範囲】
【請求項１】
入力される映像信号の同期信号を検出する検出手段と、
前記検出手段が前記同期信号の検出に失敗した場合に、前記同期信号の検出に成功するまでの間、前記同期信号の検出に失敗したことを示すエラー信号を出力するエラー信号出力手段と、
映像信号から高周波成分を除去して、前記検出手段に供給するフィルタ手段と、
前記エラー信号出力手段から前記エラー信号が出力されている場合に、前記フィルタ手段のローパスフィルタとしての機能をオン状態に切換え、前記エラー信号出力手段から前記エラー信号が出力されていない場合に、前記フィルタ手段のローパスフィルタとしての機能をオフ状態に切換える切換手段とを備える、映像信号処理装置。
【請求項２】
前記フィルタ手段が、映像信号ラインに直列接続されている第１抵抗と、前記映像信号ラインに並列接続されているコンデンサとを含み、
前記切換手段が、ベースに前記エラー信号が供給され、コレクタが前記コンデンサに接続されたトランジスタと、一端が前記トランジスタのコレクタと前記コンデンサとの接続点に接続され、前記トランジスタのオフ時に前記コンデンサを前記映像信号ラインから開放させるための第２抵抗とを含む、請求項１に記載の映像信号処理装置。
【請求項３】
映像信号の同期信号が検出されるステップと、
映像信号の同期信号の検出に失敗した場合に、前記同期信号の検出に失敗したことを示すエラー信号を出力するステップと、
前記エラー信号に応じて、前記フィルタ手段のローパスフィルタとしての機能をオン状態に切換えるステップと、
前記フィルタ手段のローパスフィルタとしての機能をオン状態に切換えたことによって、映像信号の同期信号の検出に成功した場合に、前記フィルタ手段のローパスフィルタとしての機能をオフ状態に切換えるステップとを含む、映像信号処理方法。
【発明の詳細な説明】
【技術分野】
【０００１】
本発明は、映像信号の同期信号を検出する映像信号処理装置に関する。
【背景技術】
【０００２】
図３は、従来の映像信号処理装置１００を示すブロック図である。映像信号セレクタ１０１は、入力される複数の映像信号の中から１つの映像信号を選択し、映像信号処理部１０２に供給する。映像信号処理部１０２は、映像入力端子ＶＡＳ＿ＩＮに入力される映像信号に対して、解像度変換、ＩＰ変換等の信号処理を実行し、かつ、アナログ−デジタル変換し、映像信号処理部１０３に供給する。映像信号処理部１０３は、映像信号をＨＤＭＩデータに変換し出力する、又は、映像信号をデジタル−アナログ変換し出力する。ホストコントローラ１０４は、ユーザ操作に応じて、映像信号セレクタ１０１に対して映像信号を切換えるように制御する。ホストコントローラ１０４は、映像信号処理部１０２からの検出信号に応じて、映像信号処理部１０３に対して映像信号を出力するか否かを制御する。
【０００３】
映像信号処理部１０２は、映像信号の水平同期信号のＤＣバイアスレベルを一定にした（引き込み処理の）後に、水平同期信号および垂直同期信号（の間隔）を検出し、映像信号の解像度を判別する。しかし、映像信号に高周波ノイズが含まれている場合、同期信号の検出や、解像度の判別に失敗し、繰り返し、水平同期信号の引き込み、解像度の判別を実行する必要がある。そのため、映像信号に継続的に高周波ノイズが含まれる場合、長時間にわたって同期信号を検出することができず、その結果、映像信号を出力するまでに長い時間がかかってしまうという問題がある。
【先行技術文献】
【特許文献】
【０００４】
【特許文献１】特開平９−１３５３６８号公報
【特許文献２】特開平１０−７５３８３号公報
【発明の概要】
【発明が解決しようとする課題】
【０００５】
本発明は上記従来の課題を解決するためになされたものであり、その目的は、映像信号に高周波ノイズが含まれる場合でも、同期信号を迅速に検出することができる映像信号処理装置を提供することである。
【課題を解決するための手段】
【０００６】
本発明の好ましい実施形態による映像信号処理装置は、入力される映像信号の同期信号を検出する検出手段と、前記検出手段が前記同期信号の検出に失敗した場合に、前記同期信号の検出に成功するまでの間、前記同期信号の検出に失敗したことを示すエラー信号を出力するエラー信号出力手段と、映像信号から高周波成分を除去して、前記検出手段に供給するフィルタ手段と、前記エラー信号出力手段から前記エラー信号が出力されている場合に、前記フィルタ手段のローパスフィルタとしての機能をオン状態に切換え、前記エラー信号出力手段から前記エラー信号が出力されていない場合に、前記フィルタ手段のローパスフィルタとしての機能をオフ状態に切換える切換手段とを備える。
【０００７】
同期信号の検出に失敗した場合には、成功するまでの間、フィルタ手段のローパスフィルタとしての機能がオン状態とされる。従って、フィルタ手段によって映像信号から高周波ノイズが除去される。その結果、検出手段は、映像信号の同期信号を迅速に検出することができる。同期信号の検出に成功した後は、フィルタ手段のローパスフィルタとしての機能がオフ状態とされる。従って、出力される映像信号自体がローパスフィルタによって減衰されることが防止される。
【０００８】
好ましい実施形態においては、前記フィルタ手段が、映像信号ラインに直列接続されている第１抵抗と、前記映像信号ラインに並列接続されているコンデンサとを含み、前記切換手段が、ベースに前記エラー信号が供給され、コレクタが前記コンデンサに接続されたトランジスタと、一端が前記トランジスタのコレクタと前記コンデンサとの接続点に接続され、前記トランジスタのオフ時に前記コンデンサを前記映像信号ラインから開放させるための第２抵抗とを含む。
【０００９】
この場合、１つのトランジスタのみによって、フィルタ手段のローパスフィルタとしての機能をオンオフすることができる。
【００１０】
本発明の好ましい実施形態による映像信号処理方法は、映像信号の同期信号が検出されるステップと、映像信号の同期信号の検出に失敗した場合に、前記同期信号の検出に失敗したことを示すエラー信号を出力するステップと、前記エラー信号に応じて、前記フィルタ手段のローパスフィルタとしての機能をオン状態に切換えるステップと、前記フィルタ手段のローパスフィルタとしての機能をオン状態に切換えたことによって、映像信号の同期信号の検出に成功した場合に、前記フィルタ手段のローパスフィルタとしての機能をオフ状態に切換えるステップとを含む。
【発明の効果】
【００１１】
映像信号に高周波ノイズが含まれる場合でも、同期信号を迅速に検出することができる映像信号処理装置を提供することができる。
【図面の簡単な説明】
【００１２】
【図１】本発明の好ましい実施形態による映像信号処理装置を示すブロック図である。
【図２】ＬＰＦ３の詳細を示す回路図である。
【図３】従来の映像信号処理装置を示すブロック図である。
【発明を実施するための形態】
【００１３】
以下、本発明の好ましい実施形態による映像信号処理装置１について説明するが、本発明はこれらの実施形態には限定されない。図１は、本実施形態の映像信号処理装置１を示すブロック図である。映像信号処理装置１は、映像信号セレクタ２と、ＬＰＦ（ローパスフィルタ）３と、映像信号処理部４と、映像信号処理部５と、ホストコントローラ（制御部）６とを備える。
【００１４】
映像信号セレクタ２は、図示しない映像入力端子から入力される複数の映像信号の中から１つの映像信号を選択し、選択した映像信号をＬＰＦ３に供給する。映像信号セレクタ２とＬＰＦ３との間にはインピーダンスマッチングのための抵抗Ｒ１、Ｒ２が挿入されている。
【００１５】
ＬＰＦ３（フィルタ手段、切換手段）は、映像信号処理部４の後述する検出端子ＤＥＴから供給されるエラー検出信号に応じて、ローパスフィルタ（以下、単にフィルタという。）としての機能がオンオフ制御される。つまり、映像信号処理部４が水平同期信号の引き込み、同期信号の検出に失敗し、検出端子ＤＥＴからエラー有を示すエラー検出信号（例えば、ローレベルの信号）を出力する場合、ＬＰＦ３はフィルタの機能をオン状態に切換える。従って、ＬＰＦ３は、映像信号から高周波成分（高周波ノイズ）を除去し、映像信号処理部４に供給する。
【００１６】
一方、映像信号処理部４が水平同期信号の引き込み、同期信号の検出に成功し、検出端子ＤＥＴからエラー無を示すエラー検出信号（例えば、ハイレベルの信号）を出力する場合、ＬＰＦ３はフィルタの機能をオフ状態に切換える。従って、ＬＰＦ３は、映像信号から高周波成分を除去せず、映像信号の全周波数帯域を映像信号処理部４に供給することができる。
【００１７】
映像信号処理部（検出手段、エラー信号出力手段）４は、映像入力端子ＶＡＳ＿ＩＮ、映像出力端子ＶＤＳ＿ＯＵＴ、検出端子ＤＥＴを有する。映像信号処理部４は、映像入力端子ＶＡＳ＿ＩＮに入力される映像信号に対して、解像度変換、ＩＰ変換等の映像信号処理を実行し、（および、特に限定されないが、アナログ−デジタル変換し）、映像信号処理部５に供給する。
【００１８】
映像信号処理部４は、映像信号の水平同期信号のＤＣバイアスレベルを一定にした（引き込み処理を実行した）後に、水平同期信号および垂直同期信号を検出し、映像信号の解像度を判別する。しかし、映像信号に高周波ノイズが含まれている場合、水平同期信号の引き込み、同期信号の検出に失敗し、解像度の判別に失敗する。この場合、これらを成功するまで、水平同期信号の引き込み、同期信号の検出を繰り返し、解像度の判別を繰り返す。
【００１９】
映像信号処理部４は、同期信号の検出に失敗し、解像度の判別に失敗した場合、検出端子ＤＥＴからエラー有を示すエラー検出信号（例えば、ローレベルの信号）を出力する。エラー有を示すエラー検出信号は、同期信号の検出に成功するまでの間、出力される。これにより、ＬＰＦ３のフィルタ機能をオン状態に切換えさせ、高周波ノイズが除去された映像信号が映像信号処理部４に供給されるようにする。従って、映像信号に高周波ノイズが継続的に含まれる場合でも、映像信号処理部４は、同期信号を迅速に検出することができる。
【００２０】
映像信号処理部４は、同期信号の検出に成功し、解像度の判別に成功した場合、検出端子ＤＥＴからエラー無を示すエラー検出信号（例えば、ハイレベルの信号）を出力する。これにより、ＬＰＦ３のフィルタ機能をオフ状態にさせ、映像信号を出力する場合に、映像信号の全周波数帯域を出力することができる。
【００２１】
なお、映像信号処理部４は、同期信号の検出に失敗し、解像度の判別に失敗する以前も、検出端子ＤＥＴからエラー無を示すエラー検出信号（例えば、ハイレベルの信号）を出力している。
【００２２】
映像信号処理部５は、供給される映像信号をＨＤＭＩデータに変換し出力する。もしくは、映像信号処理部５は、供給される映像信号をデジタル−アナログ変換し出力する。
【００２３】
ホストコントローラ６は、ユーザ操作に応じて、映像信号セレクタ２に対して、選択する映像信号を切換えるように制御する。ホストコントローラ６は、映像信号処理部４からのエラー検出信号に応じて、映像信号処理部５に対して映像信号を出力するか否かを制御する。つまり、エラー有を示すエラー検出信号の場合、ホストコントローラ６は、映像信号処理部５に映像信号を出力させない。これにより、ノイズが表示されることを防止できる。エラー無を示すエラー検出信号の場合、ホストコントローラ６は、映像信号処理部５に映像信号を出力させる。
【００２４】
図２は、ＬＰＦ３の実施例を示す詳細回路図である。ＬＰＦ３は、この回路構成に限定されないが、この回路構成を採用することにより、トランジスタ１つのみで、フィルタ機能のオンオフを切換えることができる。ＬＰＦ３は、抵抗Ｒ３〜Ｒ６、コンデンサＣ１、ｎｐｎ型トランジスタＱ１を有する。
【００２５】
抵抗Ｒ３の一端は抵抗Ｒ１とＲ２との接続点（つまり映像信号セレクタ２の出力）に接続され、他端は抵抗Ｒ４を介して映像信号処理部４に接続されている。つまり、抵抗Ｒ１、Ｒ２は、映像信号ラインに直列接続されている。コンデンサＣ１の一端は、抵抗Ｒ３とＲ４との接続点に接続され、他端はトランジスタＱ１のコレクタと抵抗Ｒ５の一端とに接続されている。つまり、コンデンサＣ１は、映像信号ラインに並列接続されている。抵抗Ｒ５の他端は、抵抗Ｒ６の一端と接地電位とに接続されている。抵抗Ｒ６の他端は、トランジスタＱ１のベースと映像信号検出部４の検出端子ＤＥＴとに接続されている。トランジスタＱ１のエミッタは、正の電源電圧ライン＋ＶＤＤ等の所定電位に接続されている。トランジスタＱ１は、エラー検出信号が供給され、エラー検出信号のレベルによってオンオフ制御される。
【００２６】
抵抗Ｒ５の抵抗値は非常に大きな値に設定されている。エラー検出信号がエラー無を示すハイレベルのとき、トランジスタＱ１がオフ状態になるが、抵抗Ｒ５の抵抗値が非常に大きいので、映像信号ラインに対して実質的に抵抗Ｒ３およびＲ４だけが接続されている状態となり、コンデンサＣ１は開放された状態となる。従って、ＬＰＦ３のフィルタ機能がオフ状態となる。
【００２７】
一方、エラー検出信号がエラー有を示すローレベルのとき、トランジスタＱ１がオン状態になり、電源電圧＋ＶＤＤのインピーダンスは非常に小さいので、映像信号ラインに対して抵抗Ｒ３、Ｒ４に加えて、コンデンサＣ１も接続されている状態となる。従って、抵抗Ｒ３およびコンデンサＣ１によってローパスフィルタが構成され、ＬＰＦ３のフィルタとしての機能がオン状態となる。
【００２８】
以上の構成を有する映像信号処理装置１について、その動作を説明する。映像信号が入力開始されるとき、映像信号処理部４は、検出端子ＤＥＴからエラー無を示すハイレベルの信号を出力している。従って、トランジスタＱ１はオフ状態であり、ＬＰＦ３は、フィルタの機能がオフ状態になっている。映像信号は、フィルタ回路３から映像信号処理部４に供給される。映像信号処理部４は、映像信号から水平同期信号を引き込み、水平同期信号および垂直同期信号を検出し、映像信号の解像度を判別する。
【００２９】
映像信号に高周波ノイズが含まれていると、映像信号処理部４は、水平同期信号および垂直同期信号の検出に失敗し、解像度の判別に失敗する。映像信号処理部４は、検出端子ＤＥＴからエラー有を示すローレベルのエラー検出信号を出力する。なお、同期信号の検出に成功するまでの間、検出端子ＤＥＴからエラー有を示すローレベルのエラー検出信号が出力される。このときに、映像信号処理部４は、映像出力端子ＶＤＳ＿ＯＵＴから映像信号処理部５に映像信号を出力しないようにミュート状態とする。
【００３０】
ＬＰＦ３は、トランジスタＱ１がオン状態になり、フィルタの機能がオン状態になる。映像信号はＬＰＦ３において、高周波ノイズが除去され、映像信号処理部４に供給される。映像信号処理部４は、高周波ノイズが除去された映像信号を受信し、映像信号から水平同期信号を引き込み、水平同期信号および垂直同期信号を検出し、映像信号の解像度を判別する。従って、映像信号に高周波ノイズが継続的に含まれている場合でも、高周波ノイズが除去されることによって、迅速に水平同期信号および垂直同期信号の検出に成功し、解像度の判別に成功する。
【００３１】
映像信号処理部４は、同期信号の検出、解像度の判別に成功すると、検出端子ＤＥＴからエラー無を示すハイレベルの信号を出力する。この後、検出端子ＤＥＴからエラー無を示すハイレベルの信号が出力され続ける。映像信号処理部４は、映像出力端子ＶＤＳ＿ＯＵＴから映像信号処理部５に映像信号を出力するようにミュート状態を解除する。トランジスタＱ１は再度オフ状態になり、ＬＰＦ３は、フィルタの機能がオフ状態になる。従って、映像信号は、高周波成分が除去されずに、フィルタ回路３から映像信号処理部４に供給される。
【００３２】
以上のように、同期信号の検出に失敗し、解像度の判別に失敗した場合に、その後、成功するまでの間だけ、ＬＰＦ３のフィルタ機能をオン状態にすることによって、同期信号を迅速に検出でき、かつ、出力される映像信号自体がＬＰＦ３によって減衰されてしまうことを防止できる。
【００３３】
以上、本発明の好ましい実施形態を説明したが、本発明はこれらの実施形態には限定されない。１つの映像入力端子のみを備える場合には、映像信号セレクタは不要であり、映像入力端子がＬＰＦ３に直接接続されるとよい。映像信号処理部４がエラー有の場合にハイレベル、エラー無の場合にローレベルの信号を出力する場合、トランジスタＱ１をｎｐｎ型トランジスタとし、そのエミッタを接地電位に接続するとよい。なお、上記において、引き込みにくい水平同期信号の周波数をｆＨＳＹＮＣとすると、ＬＰＦのカットオフ周波数ｆｃはｆＨＳＹＮＣ以上に設定されるとよい。
【産業上の利用可能性】
【００３４】
本発明は、ＡＶアンプ、ＴＶ受像機、ＤＶＤプレーヤ、ＰＣ等の映像処理装置に好適に採用され得る。
【符号の説明】
【００３５】
１              映像信号処理装置
２              映像信号セレクタ
３              ＬＰＦ
４              映像信号処理部
５              映像信号処理部
６              ホストコントローラ
【図１】
2012023509.tif 000003
【図２】
2012023509.tif 000004
【図３】
2012023509.tif 000005